(57)【要約】  電気コネクタ（１００）は１つ以上の接点（１０２）及び接点基板（１０４）を含む。接点はワイヤの詰まった構成部分（１０６）とスリーブ（１０８）とを含む。電気コネクタは第１の電装品（１２０、１２２）と第２の電装品（１２０、１２２）とを接続するために使用される。電装品は、集積回路チップパッケージ、プリント基板、ワイヤ接点、ヘッダー及びワイヤハーネスとすることができる。スリーブを含む接点は、ワイヤの詰まった構成部分を含んでスリーブを含まない接点に比べて、所定温度でより多くの電力を供給することができる。スリーブには、スリーブ内にワイヤの詰まった構成部分を保持するための、構成部分を保持する機構（３２０）を含ませることができる。スリーブには、接点基板内にスリーブを保持するための、スリーブを保持する機構（３１２）を含ませることができる。
2014500595.tif 000002
【特許請求の範囲】
【請求項１】
基板と、スリーブと、ワイヤの詰まった構成部分とを含む電気コネクタであって、前記基板が第１の表面及び第２の表面を含み、前記基板が開口を含み、前記開口が前記第１の表面から前記第２の表面まで延在し、前記スリーブが前記基板の開口内に配置され、前記スリーブが第１の部分、第２の部分及び第３の部分を含み、前記スリーブが開口を含み、前記スリーブの前記第１の部分が前記基板の前記第１の表面を超えて延在し、前記ワイヤの詰まった構成部分がスリーブの開口内に配置され、前記ワイヤの詰まった構成部分が前記基板の前記第１の表面を超えて延在している、電気コネクタ。
【請求項２】
前記ワイヤの詰まった構成部分が、前記基板の前記第２の表面を超えて延在している、請求項１に記載の電気コネクタ。
【請求項３】
前記スリーブの前記第３の部分が前記基板の前記第２の部分を超えて延在している、請求項１に記載の電気コネクタ。
【請求項４】
前記スリーブがスリーブを保持する機構を含む、請求項１に記載の電気コネクタ。
【請求項５】
前記スリーブの前記第１の部分は、前記第２の部分よりも大きい、請求項４に記載の電気コネクタ。
【請求項６】
前記スリーブの前記第３の部分は、前記第２の部分よりも大きい、請求項５に記載の電気コネクタ。
【請求項７】
前記スリーブの前記第１の部分は、前記基板の前記第１の表面における前記基板の開口よりも大きい、請求項４に記載の電気コネクタ。
【請求項８】
前記スリーブの前記第３の部分は、前記基板の前記第２の表面における前記基板の開口よりも大きい、請求項７に記載の電気コネクタ。
【請求項９】
前記スリーブは前記ワイヤの詰まった構成部分に対する保持機構を含む、請求項１に記載の電気コネクタ。
【請求項１０】
ワイヤの詰まった第２の構成部分をさらに含み、前記ワイヤの詰まった構成部分が前記スリーブの前記第１の部分に配置され、前記ワイヤの詰まった第２の構成部分が前記スリーブの前記第３の部分に配置されている、請求項１に記載の電気コネクタ。
【請求項１１】
導電材料が、前記スリーブの前記開口内で、前記ワイヤの詰まった構成部分と前記ワイヤの詰まった第２の構成部分との間において配置されている、請求項１０に記載の電気コネクタ。
【請求項１２】
前記スリーブの前記第１の部分が前記スリーブの前記第３の部分に対してある角度である、請求項１０に記載の電気コネクタ。
【請求項１３】
基板と、スリーブと、ワイヤの詰まった構成部分とを含む電気コネクタであって、前記基板が第１の表面及び第２の表面を含み、前記基板が開口を含み、前記開口が前記第１の表面から前記第２の表面まで延在し、前記スリーブが前記基板の開口内に配置され、前記スリーブが第１の部分と、第２の部分と含み、前記スリーブが開口を含み、前記ワイヤの詰まった構成部分がスリーブの開口内に配置され、前記ワイヤの詰まった構成部分が前記基板の前記第１の表面を超えて延在し、前記スリーブの前記第２の部分が前記ワイヤの詰まった構成部分を超えて延在している、電気コネクタ。
【請求項１４】
前記スリーブの前記第２の部分が前記基板の前記第２の表面を超えて延在している、請求項１３に記載の電気コネクタ。
【請求項１５】
前記スリーブの前記第２の部分が閉じられている、請求項１３に記載の電気コネクタ。
【請求項１６】
前記スリーブの前記第２の部分が前記スリーブの前記第１の部分よりも小さい、請求項１３に記載の電気コネクタ。
【請求項１７】
前記スリーブが前記ワイヤの詰まった構成部分に対する保持機構を含む、請求項１３に記載の電気コネクタ。
【請求項１８】
前記第２の部分が前記スリーブ内に導電材料を含む、請求項１３に記載の電気コネクタ。
【請求項１９】
前記第２の部分が、前記第１の部分に対してある角度である、請求項１３に記載の電気コネクタ。
【請求項２０】
ワイヤの詰まった第２の構成部分をさらに含み、前記スリーブが第３の部分を含み、前記ワイヤの詰まった第２の部分が前記第３の部分に配置されている、請求項１に記載の電気コネクタ。
【請求項２１】
基板と、スリーブと、ワイヤの詰まった構成部分とを含む電気コネクタであって、前記基板が第１の表面及び第２の表面を含み、前記基板が開口を含み、前記開口が前記第１の表面から前記第２の表面まで延在し、前記スリーブが前記基板の開口内に配置され、前記スリーブが第１の部分と第２の部分とを含み、前記スリーブが開口を含み、前記ワイヤの詰まった構成部分がスリーブの開口内に配置され、前記ワイヤの詰まった構成部分が前記基板の前記第１の表面を超えて延在し、前記スリーブがワイヤの詰まった構成部分の保持機構を含み、前記保持機構が回り止めである、電気コネクタ。
【請求項２２】
基板と、スリーブと、ワイヤの詰まった構成部分とを含む電気コネクタであって、前記基板が第１の表面及び第２の表面を含み、前記基板が開口を含み、前記開口が前記第１の表面から前記第２の表面まで延在し、前記スリーブが前記基板の開口内に配置され、前記スリーブが第１の部分、第２の部分及び第３の部分を含み、前記スリーブが開口を含み、前記ワイヤの詰まった構成部分がスリーブの開口内に配置され、前記ワイヤの詰まった構成部分が前記基板の前記第１の表面を超えて延在し、前記スリーブの前記第１の部分が前記第２の部分よりも大きく、前記第１の部分が前記開口内でスリーブを保持している、電気コネクタ。
【請求項２３】
基板と、スリーブと、ワイヤの詰まった構成部分とを含む電気コネクタであって、前記基板が第１の表面及び第２の表面を含み、前記基板が開口を含み、前記開口が前記第１の表面から前記第２の表面まで延在し、前記スリーブが前記基板の開口内に配置され、前記スリーブが第１の部分と第２の部分とを含み、前記スリーブが開口を含み、前記ワイヤの詰まった構成部分がスリーブの開口内に配置され、前記ワイヤの詰まった構成部分が前記基板の前記第１の表面を超えて延在し、前記スリーブがスリーブ構成部分を保持する機構を含み、前記保持機構がスリーブ内のギャップである、電気コネクタ。
【請求項２４】
基板と、スリーブと、ワイヤの詰まった構成部分とを含む電気コネクタであって、前記基板が開口を含み、前記スリーブが前記基板の開口内に配置され、前記スリーブが第１の部分と第２の部分とを含み、前記スリーブが開口を含み、前記ワイヤの詰まった構成部分がスリーブの開口内に配置され、前記ワイヤの詰まった構成部分が前記スリーブの前記第１の部分超えて延在し、前記スリーブの前記第２の部分が前記基板の開口にはんだ付けされている、電気コネクタ。
【発明の詳細な説明】
【背景技術】
【０００１】
電気コネクタを用いて、一つの構成要素と他の構成要素とを接続することができる。例えば、電気コネクタを使用して、集積回路の導体パッドとプリント基板のような基板の導電性配線との間の導電路をもたらすことができる。他の例として、第１のプリント基板を第２のプリント基板に接続することができる。他の例として、ワイヤハーネスをプリント基板に接続することができる。
【発明の概要】
【課題を解決するための手段】
【０００２】
電気コネクタには、１つ以上の接点と接点基板とを含ませることができる。接点には、ワイヤの詰まった構成部分とスリーブとを含ませることができる。電気コネクタを用いて、第１の電装品を第２の電装品に接続することができる。電装品は、集積回路チップパッケージ、プリント基板、ワイヤ接点、ヘッダー及びワイヤハーネスとすることができる。スリーブを含む接点は、ワイヤの詰まった構成部分を含んでスリーブを含まない接点に比べて、所定温度でより多くの電力を供給することができる。スリーブには、構成部分を保持する機構を含ませることができる。構成部分を保持する機構は、ワイヤの詰まった構成部材をスリーブ内に保持するのに役立たせることができる。スリーブにはスリーブを保持する機構を含ませることができる。スリーブを保持する機構は、接点基板内でスリーブを保持するのに役立たせることができる。
【図面の簡単な説明】
【０００３】
【図１】図１は、電気コネクタの斜視図である。
【図２】図２は、図１の電気コネクタの部分断面図である。
【図３】図３は、特定の用途に使用される電気コネクタの断面図である。
【図４】図４は、電気接点の他の実施形態を示す斜視図である。
【図５】図５は、図４の電気接点を有する電気コネクタの断面図である。
【図６】図６は、電気接点の他の実施形態を示す斜視図である。
【図７】図７は、電気コネクタの他の実施形態を示す断面図である。
【図８】図８は、電気コネクタの他の実施形態を示す断面図である。
【図９】図９は、電気接点の他の実施形態を示す断面図である。
【図１０】図１０は、電気接点の他の実施形態を示す断面図である。
【図１１】図１１は、電気コネクタの他の実施形態を示す断面図である。
【図１２】図１２は、電気コネクタの他の実施形態を示す断面図である。
【図１３】図１３は、電気コネクタの他の実施形態を示す断面図である。
【図１４】図１４は、電気コネクタの他の実施形態を示す断面図である。
【図１５】図１５は、電気コネクタの他の実施形態を示す断面図である。
【図１６】図１６は、電気コネクタの他の実施形態を示す断面図である。
【図１７】図１７は、電気コネクタの他の実施形態を示す断面図である。
【図１８】図１８は、電気コネクタの他の実施形態を示す断面図である。
【図１９】図１９は、電気コネクタの他の実施形態を示す断面図である。
【図２０】図２０は、電気コネクタの他の実施形態を示す断面図である。
【図２１】図２１は、電気コネクタの他の実施形態を示す断面図である。
【図２２】図２２は、電気コネクタの他の実施形態を示す断面図である。
【図２３】図２３は、電気コネクタの他の実施形態を示す断面図である。
【図２４】図２４は、電気コネクタの他の実施形態を示す断面図である。
【図２５】図２５は、電気コネクタの他の実施形態を示す断面図である。
【図２６】図２６は、電気コネクタの他の実施形態を示す断面図である。
【図２７】図２７は、電気コネクタの他の実施形態を示す断面図である。
【図２８】図２８は、電気コネクタの他の実施形態を示す断面図である。
【図２９】図２９は、電気コネクタの他の実施形態を示す断面図である。
【図３０】図３０は、電気コネクタの他の実施形態を示す断面図である。
【図３１】図３１は、電気コネクタの他の実施形態を示す断面図である。
【図３２】図３２は、電気コネクタの他の実施形態を示す断面図である。
【図３３】図３３は、電気コネクタの他の実施形態を示す断面図である。
【図３４】図３４は、電気コネクタの他の実施形態を示す断面図である。
【図３５】図３５は、電気コネクタの他の実施形態を示す断面図である。
【発明を実施するための形態】
【０００４】
図１及び図２を参照すると、電気コネクタ１００が示されている。電気コネクタ１００には、１つ以上の接点１０２と接点基板１０４とを含ませることができる。接点１０２には、ワイヤの詰まった構成部分１０６とスリーブ１０８とを含ませることができる。ワイヤの詰まった構成部分は、弾力性のある状態で詰められた導体とすることができ、この導体は、典型的には弾力性のある状態でかつ無作為に詰められた単線で内径の小さい導電ワイヤを含む細長い円筒状の接触要素の形態である。ワイヤの詰まった構成部分は、商標名「ＣＩＮ::ＡＰＳＥ」の下、アメリカ合衆国、イリノイ州、ロンバートの、シンチコネクターズ社から入手することができる。ワイヤの詰まった構成部分は、米国特許第４９８８３０６号明細書中の接点１２と似たものとすることができる。電気コネクタ１００には、スリーブを含まない他の接点１１０を含ませることができる。
【０００５】
電気コネクタを使用して、第１の電装品を第２の電装品に接続することができる。電装品は、集積回路チップパッケージ、プリント基板、ワイヤ接点、ヘッダー及びワイヤハーネスなどの、様々な電装品とすることができる。一つの実施形態においては、ＩＣチップパッケージをプリント基板に接続することができる。他の実施形態においては、第１のプリント基板を第２のプリント基板に接続することができる。さらに他の実施形態においては、ワイヤハーネスをプリント基板に接続することができる。
【０００６】
図３を参照すると、一つの実施形態においては、電気コネクタ１００を使用して、集積回路チップパッケージ１２０を、プリント基板等の基板１２２に接続することができる。基板１２２には、１つ以上の接触面１２４を含ませることができる。ＩＣチップパッケージ１２０には、１つ以上の接触面１２６を含ませることができる。電気コネクタには、１つ以上の接点１１０を含ませることができる。接点１０２により、接触面１２４が接触面１２６に接続される。接点１０２により、基板１２２からＩＣチップパッケージ１２０に送電することができる。スリーブ１０８を含む接点１０２は、（ワイヤの詰まった構成部分を含み、スリーブを含まない）接点１１０よりも、所定の温度でより多くの電力を供給することができる。接点１１０を使用して電気信号を送ることができる。電気的なアセンブリには、ＩＣチップパッケージ１２０を接点基板１０４に保持するためのクランプ１２８を含ませることができる。電気的なアセンブリには、ＩＣチップパッケージ１２０から熱を除去するためのヒートシンク１２９を含ませることができる。
【０００７】
図４及び図５を参照すると、スリーブには、構成部材を保持する機構を含ませることができる。構成部材を保持する機構は、ワイヤの詰まった構成部材をスリーブ内に保持するのに役立つ。一つの実施形態においては、構成部材を保持する機構を回り止め２３０とすることができる。回り止め２３０は、スリーブ２０８を細くすることによって、ワイヤの詰まった構成部分２０６をスリーブ内に保持するのに役立つ。回り止め２３０でスリーブを細くすることで、回り止め２３０の領域で構成部分２０６の動作を制限することができる。一つの実施形態においては、スリーブ２０８は基板２０４に圧入することができる。他の実施形態においては、コネクタ２００は、必要に応じて、本明細書に記載されているスリーブを保持する機構のいずれも使用することができる。
【０００８】
スリーブには、スリーブを保持する機構を含ませることができる。スリーブを保持する機構は、スリーブを接点基板内に保持するのに役立つ。図６を参照すると、スリーブ３０８には、スリーブを保持する機構を持たせることができる。この実施形態においては、スリーブを保持する機構は、ギャップ３１２とすることができる。スリーブ３０８はギャップ３１２を閉鎖するように圧縮し、次いで接点基板内の開口に挿入することができる。スリーブ３０８を開口に挿入した後に、スリーブ３０８を緩めることができ、スリーブは接点基板内の保持すべき開口の内側で拡大される。接点基板内の開口は、緩められた状態におけるスリーブの外形寸法よりも幾分小さくすることができる。他の実施形態においては、接点は、必要に応じて、本明細書に記載されている構成部材を保持する機構のいずれも使用することができる。
【０００９】
図７を参照すると、他の実施形態が示されている。この実施形態においては、スリーブを保持する機構は、第１の端部４３６及び第２の端部４３８とすることができ、これらの端部４３６、４３８は、スリーブ４０８の主部４３４よりも大きくすることができる。スリーブ４０８は、基板４０４の開口４１４に挿入することができる。この実施形態においては、接点基板４０４内の開口４１４にスリーブ４０８を保持するために、第１の端部４３６及び第２の端部４３８を外側に広げることができる。次いで、ワイヤの詰まった構成部分４０６をスリーブ４０８に挿入することができる。一つの実施形態においては、第１の端部４３６及び第２の端部４３８は、スリーブを開口４１４に挿入した後に形成することができる。他の実施形態においては、第１の端部４３６は開口４１４への挿入前に形成することができ、第２の端部４３８は開口４１４への挿入後に形成することができる。一つの実施形態においては、第１の端部４３６及び／又は第２の端部４３８は、接点基板４０４の上面及び下面を超えて延在させることができる。
【００１０】
一つの実施形態においては、基板４０４には、１つ以上のスタンドオフ４３９を含ませることができる。上側のスタンドオフ４３９は、スリーブ４０８が第１の構成部分４２０の接触面４２６と接触することを防止することができる。下側のスタンドオフ４３９は、スリーブ４０８が第２の構成部分４２２の接触面４２４と接触することを防止することができる。他の実施形態においては、基板に、下側のスタンドオフではなく上側のスタンドオフを含ませることができる。他の実施形態においては、基板には上側のスタンドオフと下側のスタンドオフとのいずれかを含ませることができる。スタンドオフの機構は、必要に応じて、ここに示された実施形態のいずれについても使用することができる。
【００１１】
開口４１４には主部４５０、第１の端部４５２及び第２の端部４５４を含ませることができる。第１の端部４５２は、主部４５０よりも大きくすることができる。第２の端部４５４は、主部４５０よりも大きくすることができる。端部４５２、４５４は、面取り又は皿穴とすることができる。他の実施形態においては、開口には第２の端部ではなく第１の端部を含ませることができる。他の実施形態においては、開口には第１の端部ではなく第２の端部を含ませることができる。他の実施形態においては、開口は第１の端部及び第２の端部のいずれかを含ませることができる。他の実施形態においては、コネクタには、必要に応じて、ここで記載した構成部材を保持する機構のいずれも使用することができる。
【００１２】
図８を参照すると、他の実施形態が示されている。この実施形態においては、構成部材を保持する機構を返し５３０とすることができる。スリーブ５０８には１つ以上の返し５３０を含ませて、ワイヤの詰まった構成部分５０６を保持することができる。返し５３０はスリーブの主部５３４から内側に延在させることができる。返し５３０はワイヤの詰まった構成部分５０６と係合させることができる。ワイヤの詰まった構成部分５０６中のワイヤは、スリーブ５０８からの構成部分５０６の移動を防止するために、返し５３０内で捕捉することができる。返し５３０はスリーブ５０８の主部５３４に対してある角度５３２とすることができる。一つの実施形態においては、その角度は４５°とすることができる。この角度は、ワイヤの詰まった構成部分の挿入を、向き５４２のような、一方の向きとすることができ、ワイヤの詰まった構成部分が、向き５４４のような他の向きに移動することを防止することができる。他の実施形態においては、その角度は、図１１の返し８３０のような、ワイヤの詰まった構成部分の移動をいずれの向きにも防止することのできる９０°とすることができる。ワイヤの詰まった構成部分を、９０°の返しがある状態で挿入することは困難かもしれない。このため、返しはワイヤの詰まった構成部分を挿入した後に形成してもよい。他の実施形態においては、コネクタは、必要に応じて、本明細書に記載されているスリーブを保持する機構のいずれも使用することができる。
【００１３】
図９を参照すると、他の実施形態が示されている。この実施形態においては、スリーブ６０８は、構成部分６０６の第２の端部６１８を超えて延在することができる、延長部６４０を有することができる。構成部分６０６の第１の端部６１６は、スリーブの主部６３４を超えて延在することができる。スリーブ６０８は閉じられた端部６４６を有することができる。延長部６４０は、主部６３４よりも小さくすることができる。幅狭の延長部６４０によって、構成部分６０６がスリーブ６０８内で向き６４２にさらに移動することを防止することができる。スリーブ６０８には、返し６３０を含ませて、構成部分がスリーブ６０８から向き６４４に移動することを防止することができる。他の実施形態においては、接点６０２は、必要に応じて、本明細書に記載されている構成部分を保持する機構のいずれも使用することができる。
【００１４】
スリーブ６０８は、導電性の内張り６４８を有する接点開口６１４内に配置することができる。導電性の内張り６４８は金属メッキとすることができる。スリーブ６４８を開口６１４に挿入した後、スリーブ６０８は、例えば、リフローはんだ付けプロセスによって導電性の内張り６４８にはんだ付けすることができる。はんだはスリーブを保持する機構とすることができる。他の実施形態においては、スリーブ６０８は、導電性の内張り６４８に圧入することができる。この圧入は、スリーブを保持する機構とすることができる。接点６０２は、プリント基板のような第１の構成要素と、プリント基板のような第２の構成要素との間の電気的な接続をもたらすことができる。
【００１５】
図１０を参照すると、接点７０２は、スリーブ７０８内に導電材料７６０を含むことができること以外は、接点６０２と同様とすることができる。導電材料７６０は、スラグ、粒子、ゲル、又は流体とすることができる。導電材料７６０は、導電材料を有しない接点よりも、接点が所定の温度でより多くの電力を供給するようにすることができる。他の実施形態においては、接点は、必要に応じて、本明細書に記載されている構成部分を保持する機構のいずれも使用することができる。
【００１６】
図１１を参照すると、接点８０２は、主部８３４と同じ寸法とすることができる延長部８４０を有すること以外は、接点６０２と同様とすることができる。接点８０２には返し８３０を含ませることができる。返し８３０は、主部８３４に対して９０°とすることができる。他の実施形態においては、コネクタ８００は、必要に応じて、本明細書に記載されている構成部分を保持する機構のいずれも有することができる。
【００１７】
図１２を参照すると、接点９０２は、本明細書に記載されているような導電材料９６０を含むことができること以外は、接点８０２と同様とすることができる。他の実施形態においては、コネクタは、本明細書に記載されている構成部分を保持する機構のいずれも使用することができ、及び／又は、必要に応じて、本明細書に記載されているスリーブを保持する機構のいずれも使用することができる。
【００１８】
図１３を参照すると、接点１００２は、接点６０２に比べて、スリーブ１００８の主部１０３４が短く、延長部１０４０が長いことを除いて、接点６０２と同様とすることができる。電気コネクタ１０００には、接点基板１００４を含ませることができる。スリーブ１００８は、例えば、基板１００４に圧入され、又は基板１００４の形にされた、スリーブを保持する機構を有することができる。電気コネクタ１０００は、プリント基板のような第１の構成要素１０２０と、ワイヤハーネスのような第２の構成要素１０２２との間の電気的な接続もたらすことができる。ワイヤハーネス１０２２には、絶縁体１０６２と、１つ以上の接点１０６４と、１つ以上のワイヤ１０６８とを含ませることができる。他の実施形態においては、コネクタは、必要に応じて、本明細書に記載されている構成部分を保持する機構のいずれも使用することができ、及び／又は本明細書に記載されているスリーブを保持する機構のいずれも使用することができる。
【００１９】
図１４を参照すると、コネクタ１１００は、接点１１０２が本明細書に記載されているような導電材料１１６０を含むことができること以外は、コネクタ１０００と同様とすることができる。他の実施形態においては、コネクタは、必要に応じて、本明細書に記載されている構成部分を保持する機構のいずれも使用することができ、及び／又は本明細書に記載されているスリーブを保持する機構のいずれも使用することができる。
【００２０】
図１５を参照すると、コネクタ１２００は、接点１２０２が主部１２３４と同じ寸法とすることができる延長部１２４０を有し、かつ、１つ以上の第２の返し１２３１を含むことができること以外は、コネクタ１０００と同様とすることができる。第２の返し１２３１は、構成部分１２０６がスリーブ１２０８内で向き１２４２にさらに移動することを防止することができる。返し１２３０は構成部分１２０６が向き１２４４に移動することを防止することができる。他の実施形態においては、コネクタは、必要に応じて、本明細書に記載されているスリーブを保持する機構のいずれも使用することができる。
【００２１】
図１６を参照すると、コネクタ１３００は、接点１３０２が本明細書に記載されているような導電材料１３６０を含み、かつ、第２の返し１２３１を含まないこと以外は、コネクタ１２００と同様とすることができる。第２の返し１２３１は必要でないが、その理由は、導電材料１３６０によって、構成部分が向き１３４２に移動することを防止できるからである。他の実施形態においては、コネクタは、必要に応じて、本明細書に記載されている構成部分を保持する機構のいずれも使用することができ、及び／又は本明細書に記載されているスリーブを保持する機構のいずれも使用することができる。
【００２２】
図１７を参照すると、コネクタ１４００は、延長部１４４０がある角度１４４１で曲げられていること以外は、コネクタ１０００と同様とすることができる。他の実施形態においては、その角度１４４１は、略９０°とすることができる。接点基板１４０４は、組み立てを容易にするため、１つ以上の構成要素とすることができる。電気コネクタ１４００は、プリント基板のような第１の構成要素１４２０とワイヤハーネスのような第２の構成要素１４２２との間の電気的な接続をもたらすことができる。他の実施形態においては、コネクタは、必要に応じて、本明細書に記載されている構成部分を保持する機構のいずれも使用することができる。
【００２３】
図１８を参照すると、コネクタ１５００は、接点１５０２が本明細書に記載されているような導電材料１５６０を含むことができること以外は、コネクタ１４００と同様とすることができる。他の実施形態においては、コネクタは、必要に応じて、本明細書に記載されている構成部分を保持する機構のいずれも使用することができる。
【００２４】
図１９を参照すると、コネクタ１６００は、接点１６０２が主部１６３４と同じ寸法とすることができる延長部１６４０を有し、かつ、主部１６３４に対して略９０°の角度の
返し１６３０を含むことができること以外は、コネクタ１４００と同様とすることができる。他の実施形態においては、コネクタは、必要に応じて、本明細書に記載されている構成部分を保持する機構のいずれも使用することができる。
【００２５】
図２０を参照すると、コネクタ１７００は、接点１７０２が本明細書に記載されているような導電材料１７６０を含むことができること以外は、コネクタ１６００と同様とすることができる。他の実施形態においては、コネクタは、必要に応じて、本明細書に記載されている構成部分を保持する機構のいずれも使用することができる。
【００２６】
図２１を参照すると、コネクタの他の実施形態が示されている。この実施形態においては、コネクタは、より長い距離に対して使用することができる。コネクタ１８００には、接点１８０２と接点基板１８０４を含ませることができる。接点１８０２には、ワイヤのるまった構成部分１８０６と、スリーブ１８０８と、ワイヤの詰まった第２の構成部分１８０９とを含ませることができる。接点１８０２は、スリーブ１８０８に対して構成部分１８０６、１８０９を保持するための、幅狭部１８７０と返し１８３０とを利用することができる。一つの実施形態においては、幅狭部１８７０は主部１８３４よりも小さくすることができる。また、接点１８０２には、主部１８３４と同じ寸法とすることができる中間部１８７２を含ませることができる。電気コネクタ１８００は、プリント基板のような第１の構成要素１８２０と、プリント基板のような第２の構成要素１８２２との間の電気的な接続をもたらすことができる。他の実施形態においては、コネクタは、必要に応じて、本明細書に記載されている構成部分を保持する機構のいずれも使用することができ、及び／又は、本明細書に記載されているスリーブを保持する機構のいずれも使用することができる。
【００２７】
図２２を参照すると、コネクタ１９００は、本明細書に記載されているような導電材料１９６０を含むこと以外は、コネクタ１８００と同様とすることができる。他の実施形態においては、コネクタは、必要に応じて、本明細書に記載されている構成部分を保持する機構のいずれも使用することができ、及び／又は、本明細書に記載されているスリーブを保持する機構のいずれも使用することができる。
【００２８】
図２３を参照すると、コネクタ２０００は、スリーブ２００８の中間部２０７２が幅狭部２０７０と同じ寸法であること以外は、コネクタ１８００と同様とすることができる。他の実施形態においては、コネクタは、必要に応じて、本明細書に記載されている構成部分を保持する機構のいずれも使用することができ、及び／又は、本明細書に記載されているスリーブを保持する機構のいずれも使用することができる。
【００２９】
図２４を参照すると、コネクタ２１００は、接点２１０２が本明細書に記載されているような導電材料２１６０を含むこと以外は、コネクタ２０００と同様とすることができる。他の実施形態においては、コネクタは、必要に応じて、本明細書に記載されている構成部分を保持する機構のいずれも使用することができ、及び／又は、本明細書に記載されているスリーブを保持する機構のいずれも使用することができる。
【００３０】
図２５を参照すると、コネクタ２２００は、スリーブ２２０８が構成部分を保持する機構の他の実施形態を有すること以外は、コネクタ１８００と同様とすることができる。構成部分を保持する機構は、第１の端部２２３０及び第２の端部２２３１とすることができる。第１の端部２２３０及び第２の端部２２３１は、主部２２３４よりも小さな寸法を有することができる。第１の端部２２３０及び第２の端部２２３１は、スリーブ２２０８内で構成部分２２０６、２２０９を保持するのに役立てることができる。他の実施形態においては、スリーブに第２の端部ではなく第１の端部を含ませることができる。他の実施形態においては、スリーブに第１の端部ではなく第２の端部を含ませることができる。他の実施形態においては、コネクタは、必要に応じて、本明細書に記載されている構成部分を保持する機構のいずれも使用することができ、及び／又は、本明細書に記載されているスリーブを保持する機構のいずれも使用することができる。
【００３１】
図２６を参照すると、コネクタ２３００は、接点２３０２が本明細書に記載されているような導電材料２３６０を含むことができること以外は、コネクタ２２００と同様とすることができる。他の実施形態においては、コネクタは、必要に応じて、本明細書に記載されている構成部分を保持する機構のいずれも使用することができ、及び／又は、本明細書に記載されているスリーブを保持する機構のいずれも使用することができる。
【００３２】
図２７を参照すると、コネクタ２４００は、スリーブ２４０８が構成部分を保持する機構の他の実施形態を有することができること以外は、コネクタ１９００と同様とすることができる。この構成部分を保持する機構は、第１の絞り部２４３０と第２の絞り部２４３１とすることができる。第１の絞り部２４３０及び第２の絞り部２４３１は、主部２４３４よりも小さな寸法とすることができる。第１及び第２の絞り部２４３０、２４３１は、スリーブ２４０８内で構成部分２４０６、２４０９を保持するのに役立たせることができる。しかしながら、絞り部２４３０、２４３１は、構成部分２４０６、２４０９及び導電材料２４６０が向き２４４２、２４４４へ移動することを許容する。このため、構成部分２４０６、２４０９及び導電材料２４６０は、構成要素２４２０、２４２２の高低差を調整することができる。他の実施形態においては、スリーブに、第２の絞り部ではなく第１の絞り部を含ませることができる。他の実施形態においては、スリーブに、第１の絞り部ではなく第２の絞り部を含ませることができる。他の実施形態においては、コネクタは、必要に応じて、本明細書に記載されているスリーブを保持する機構のいずれも使用することができる。
【００３３】
図２８を参照すると、コネクタ２５００は、スリーブ２５０８がある角度２５４１で曲げられていること以外は、コネクタ１８００と同様とすることができる。接点基板２５０４は、組み立てを容易にするため、１つ以上の構成要素とすることができる。電気コネクタ２５００は、プリント基板のような第１の構成要素２５２０とプリント基板のような第２の構成要素２５２２との間の電気的な接続をもたらすことができる。他の実施形態においては、コネクタは、必要に応じて、本明細書に記載されている構成部分を保持する機構のいずれも使用することができる。
【００３４】
図２９を参照すると、コネクタ２６００は、接点２６０２が本明細書に記載されているような導電材料２６６０を含むこと以外は、コネクタ２５００と同様とすることができる。他の実施形態においては、コネクタは、必要に応じて、本明細書に記載されている構成部分を保持する機構のいずれも使用することができる。
【００３５】
図３０を参照すると、コネクタ２７００は、スリーブ２７０８の中間部２７７２が幅狭部２７７０と同じ寸法であること以外は、コネクタ２５００と同様とすることができる。他の実施形態においては、コネクタは、必要に応じて、本明細書に記載されている構成部分を保持する機構のいずれも使用することができる。
【００３６】
図３１を参照すると、コネクタ２８００は、接点２８０２が本明細書に記載されているような導電材料２８６０を含むこと以外は、コネクタ２７００と同様とすることができる。他の実施形態においては、コネクタは、必要に応じて、本明細書に記載されている構成部分を保持する機構のいずれも使用することができ、及び／又は本明細書に記載されているスリーブを保持する機構のいずれも使用することができる。
【００３７】
図３２を参照すると、コネクタの他の実施形態が示されている。コネクタ２９００は、より長い距離に対して使用することができるとともに、オフセットされた接点表面同士を接続するために使用することができる。コネクタ２９００は、スリーブ２９０８が第２の角度２９４３で曲げられていること以外は、コネクタ２５００と同様とすることができる。一つの実施形態においては、その角度２９４３は略９０°とすることができる。接点基板２９０４は、組み立てを容易にするため、１つ以上の構成要素とすることができる。電気コネクタ２９００は、プリント基板のような第１の構成要素２９２０とプリント基板のような第２の構成要素２９２２との間の電気的な接続をもたらすことができる。他の実施形態においては、コネクタは、必要に応じて、本明細書に記載されている構成部分を保持する機構のいずれも使用することができる。
【００３８】
図３３を参照すると、コネクタ３０００は、接点３００２が本明細書に記載されているような導電材料３０６０を含むこと以外は、コネクタ２９００と同様とすることができる。他の実施形態においては、コネクタは、必要に応じて、本明細書に記載されている構成部分を保持する機構のいずれも使用することができる。
【００３９】
図３４を参照すると、コネクタ３１００は、スリーブ３１０８の中間部３１７２が幅狭部３１７０と同じ寸法とすることができること以外は、コネクタ２９００と同様とすることができる。他の実施形態においては、コネクタは、必要に応じて、本明細書に記載されている構成部分を保持する機構のいずれも使用することができる。
【００４０】
図３５を参照すると、コネクタ３２００は、接点３００２が本明細書に記載されているような導電材料３２６０を含むこと以外は、コネクタ３１００と同様とすることができる。他の実施形態においては、コネクタは、必要に応じて、本明細書に記載されている構成部分を保持する機構のいずれも使用することができる。
【００４１】
ワイヤの詰まった構成部分は金属のようないかなる好適な材料とすることもできる。例えば、ワイヤの詰まった構成部分は、モリブデン、タングステン、銅又は銅合金とすることができる。ワイヤは、金、パラジウム、ニッケル、ロジウム又は白金のような、接触界面で使用される貴金属によってメッキすることができる。スリーブは、金属のような、いかなる導電材料とすることもできる。例えば、スリーブは、銅、銅合金又はアルミニウムとすることができる。ワイヤの詰まった構成部分のためのスリーブは、上述したいかなる材料によってメッキすることもできる。スリーブはニッケルのような下地メッキを有することができる。他の例のように、スリーブは、ニッケルの下地メッキと金メッキとを有する亜鉛酸アルミニウムとすることができる。
【００４２】
接点基板は開口を有するように成型し或いは機械加工することができる。接点基板は、プラスチック、ファイバーグラス、又は金属のような、いかなる好適な材料とすることもできる。プラスチックは、ヘキストセラニーズ株式会社によって商品名「Vectra」で販売されている製品のような液晶高分子、ジーイープラスチックスによって商品名「Ulterm」で販売されている製品のようなポリエーテルイミド、ソルヴェイアドバンストポリマーズによって商品名「Amodel」で販売されている製品のようなポリフタルアミド、ジーイープラスチックスによって開発され、商品名「Noryl」で販売されている製品のようなポリフェニレンとポリスチレンとの混合物、フィリップスペトローリアムによって商品名「Ryton」で販売されている製品のようなポリフェニレンスルフィド、又はポリブチレンテレフタレートとすることができる。ファイバーグラスはＦＲ−４又はＧ−１０とすることができる。金属はアルマイト（陽極酸化処理工程後に絶縁体となる）とすることができる。
【００４３】
本明細書において引用された、公表文献、特許出願、及び特許を含む全ての参考文献は、各文献が個別具体的に示されているのと同程度まで、また各文献がその全体について本明細書に記載されているのと同程度まで、参照することにより組み込まれている。
【００４４】
本発明の記載に照らして（特に、以下に示す請求項に照らして）、表現「ａ」、「an」及び「the」と、同様の指示対称とを使用することは、本明細書中に別段の指示がなく、或いは文脈から明らかに矛盾しない限り、単数と複数との両方の範囲に及ぶものと解釈すべきである。用語「備える（comprising）」、「有する（having）」、及び「含む(containing)」は、特に断りのない限り、制約のない用語（即ち、含むことを意味し、それに限定されない意）と解釈すべきである。本明細書における値の範囲の列挙は、本明細書に別段の指示がない限り、単に、その範囲内に含まれる個々の値を個別に参照するという簡単な方法の代わりとなるように意図されたものであり、各値は本明細書に個々に列挙されているかのように明細書に組み込まれている。本明細書に記載されている全ての方法は、本明細書中に別段の指示がなく、或いは文脈から明らかに矛盾しない限り、いかなる好適な順序においても行うことができる。本明細書で規定されている、ありとあらゆる例、及び、典型的な語法（例えば、「のような」）の使用は、本発明をより良好に理解することを単に意図したものであり、別段請求されている場合を除き、本発明の範囲を限定することを提示するものではない。本明細書にない言い回しは、本発明の実施に不可欠であるのと同様に、請求されていない任意の構成部分を示すものとみなすべきである。
【００４５】
本発明の好適な実施形態は、本明細書に記載されており、発明者が把握している本発明を実施するためのベストモードを含む。これらの好適な実施形態のバリエーションは、上述の記載を読んだ当業者に明らかになるであろう。発明者は当業者が必要に応じてこのようなバリエーションを用いることを期待しており、発明者は本明細書に具体的に記載されていること以外に実施すべき発明を意図している。従って、本発明は、適用法により容認される添付の請求項に列挙された主題についての全ての改良物及び均等物を含む。さらに、その全ての可能なバリエーションにおける上述の構成部分のいかなる組み合わせも、本明細書中に別段の指示がなく、或いは文脈から明らかに矛盾しない限り、本発明に包含される。
【図１】
2014500595.tif 000003
【図２】
2014500595.tif 000004
【図３】
2014500595.tif 000005
【図４】
2014500595.tif 000006
【図５】
2014500595.tif 000007
【図６】
2014500595.tif 000008
【図７】
2014500595.tif 000009
【図８】
2014500595.tif 000010
【図９】
2014500595.tif 000011
【図１０】
2014500595.tif 000012
【図１１】
2014500595.tif 000013
【図１２】
2014500595.tif 000014
【図１３】
2014500595.tif 000015
【図１４】
2014500595.tif 000016
【図１５】
2014500595.tif 000017
【図１６】
2014500595.tif 000018
【図１７】
2014500595.tif 000019
【図１８】
2014500595.tif 000020
【図１９】
2014500595.tif 000021
【図２０】
2014500595.tif 000022
【図２１】
2014500595.tif 000023
【図２２】
2014500595.tif 000024
【図２３】
2014500595.tif 000025
【図２４】
2014500595.tif 000026
【図２５】
2014500595.tif 000027
【図２６】
2014500595.tif 000028
【図２７】
2014500595.tif 000029
【図２８】
2014500595.tif 000030
【図２９】
2014500595.tif 000031
【図３０】
2014500595.tif 000032
【図３１】
2014500595.tif 000033
【図３２】
2014500595.tif 000034
【図３３】
2014500595.tif 000035
【図３４】
2014500595.tif 000036
【図３５】
2014500595.tif 000037
【国際調査報告】
2014500595.tif 000038
2014500595.tif 000039
2014500595.tif 000040